(57)【要約】      （修正有）【課題】複数段のリールユニットを積み重ねたまま、下段のリールユニットのリールを交換することができるリールユニットを提供する。【解決手段】電線を巻き付けたリール１０を支持するためのリールユニットであって、リール１０を水平面内で回転自在に支持する支持フレーム２０を備え、支持フレーム２０は、ベース部と、ベース部から上方へ突出して設けられ、リール１０の回転軸を上方から挿入して、リール１０の回転軸を回転自在に支持する軸部２８と、軸部２８に支持されたリール１０を取り囲むように配置された、ベース部から上方に延びる４つのピラー部とを有し、４つのピラー部のうちの一組の隣り合った２つのピラー部２２ａ及び２２ｂの間隔ＷＦ１が、リール１０の最大直径ＷＲよりも広く、且つ、残りの２つのピラー部２２ｃ及び２２ｄの間隔ＷＦ２が、リール１０の最大直径ＷＲよりも狭い。【選択図】図２
0003187990.tif 000002
【実用新案登録請求の範囲】
【請求項１】
巻かれた状態の線材を保持するための、回転軸を有するリールと、
前記リールを水平面内で回転自在に支持する支持フレームと、を備え、
前記支持フレームは、
ベース部と、
前記ベース部から上方へ突出して設けられ、前記リールの回転軸を上方から挿入して、前記リールの回転軸を回転自在に支持する軸部と、
前記軸部に支持された前記リールを取り囲むように配置された、前記ベース部から上方に延びる少なくとも３つのピラー部と、を有し、
前記少なくとも３つのピラー部のうちの少なくとも一組の隣り合った２つのピラー部の間隔が、前記リールの最大直径よりも広い、
ことを特徴とするリールユニット。
【請求項２】
前記支持フレームは上下に積み重ね可能となるように、下側の前記支持フレームは上側の前記支持フレーム上に積み重ね可能であり、
前記支持フレームを上下に積み重ねたときの上側の支持フレームの前記ベース部と下側の支持フレームの前記ベース部との間の空間の高さが、前記リールの高さと前記軸部の高さとの合計高さよりも高い、
ことを特徴とする請求項１記載のリールユニット。
【請求項３】
前記少なくとも３つのピラー部のうちの少なくとも一組の隣り合った２つのピラー部の間隔が、前記リールの最大直径よりも狭く、この狭い間隔の両側のピラー部のそれぞれに、前記線材を通してガイドするガイド部を設けた、
ことを特徴とする請求項１又は２記載のリールユニット。
【請求項４】
前記支持フレームは、４つのピラー部を有し、
前記４つのピラー部のうちの少なくとも一組の隣り合った２つのピラー部の間隔が、前記リールの最大直径よりも広く、且つ、残りの２つのピラー部の間隔が、前記リールの最大直径よりも狭い、
ことを特徴とする請求項１〜３の何れか一項に記載のリールユニット。
【請求項５】
前記ピラー部の各々は、上端及び下端の一方に、他のリールユニットの支持フレームの対応するピラー部の上端及び下端の他方を受け入れ可能な穴又は凹部を有する、
ことを特徴とする請求項１〜４の何れか一項に記載のリールユニット。
【考案の詳細な説明】
【技術分野】
【０００１】
本考案は、電線などの線材用のリールユニットに関し、より詳細には、複数段積み重ねて使用することができるリールユニットに関する。
【背景技術】
【０００２】
従来、電線の配設作業を行う際に、巻いた状態の電線を保持するリールと、このリールを回転自在に支持する支持フレームとから構成された電線リールユニットが、現場で使用されている。さらに、複数種類の電線を使い分ける場合には、各種類の電線を保持するリールを収容した複数の電線リールユニットが、複数段積み重ねられた状態で使用されている。
【０００３】
しかしながら、従来の電線リールユニットは、積み重ねた状態では、下段のリールを交換することが困難であった。このため、下段のリールが空になった場合には、積み重ねた上段の電線リールユニットをいちいち下ろしてから、下段の空のリールを支持フレームから外して電線を補充しなければならなかった。
【考案の概要】
【考案が解決しようとする課題】
【０００４】
そこで、本考案は、複数段のリールユニットを積み重ねた状態のままで、下段のリールユニットのリールを容易に支持フレームから取外し、また、電線を補充したリールを装着することができるリールユニットを提供することを目的としている。
【課題を解決するための手段】
【０００５】
上記の目的を達成するため、本考案のリールユニットは、巻かれた状態の線材を保持するための、回転軸を有するリールと、前記リールを水平面内で回転自在に支持する支持フレームとを備え、前記支持フレームは、ベース部と、前記ベース部から上方へ突出して設けられ、前記リールの回転軸を上方から挿入して、前記リールの回転軸を回転自在に支持する軸部と、前記軸部に支持された前記リールを取り囲むように配置された、前記ベース部から上方に延びる少なくとも３つのピラー部と、を有し、前記少なくとも３つのピラー部のうちの少なくとも一組の隣り合った２つのピラー部の間隔が、前記リールの最大直径よりも広いことを特徴としている。
【０００６】
このように構成された本考案のリールユニットによれば、少なくとも一組の隣り合った２つのピラー部材の間隔が、前記リールの最大直径よりも広い。このため、複数段のリールユニットを積み重ねた状態であっても、下段のリールユニットの２つのピラー部材の間から空のリールを横方向に取り出し、さらに、巻いた状態の電線を補充したリールを横方向から支持フレーム内にセットすることができる。これにより、本考案のリールユニットによれば、複数段のリールユニットを積み重ねたまま、下段のリールユニットのリールを容易に取り外したり、装着したりすることができる。
【０００７】
また、本考案において好ましくは、前記支持フレームは上下に積み重ね可能となるように、下側の前記支持フレームは上側の前記支持フレーム上に積み重ね可能であり、前記支持フレームを上下に積み重ねたときの上側の支持フレームの前記ベース部と下側の支持フレームの前記ベース部との間の空間の高さが、前記リールの高さと前記軸部の高さとの合計高さよりも高い。
【０００８】
これにより、リールを持ち上げることによって、リール回転軸を支持フレームの軸部から容易に取り外すことができる。
【０００９】
ところで、リールに巻き付けた線材を円滑に繰り出すためには、支持フレームに、繰り出される線材を通すガイドを設けることが望ましい。一方、作業者は、巻かれた状態の電線をリールに装着する際に、電線を回転軸に対して右巻きの向きで装着する場合もあるし、また、左巻きの向きで装着する場合もある。
【００１０】
そこで、本考案において好ましくは、前記少なくとも３つのピラー部のうちの少なくとも一組の隣り合った２つのピラー部の間隔が、前記リールの最大直径よりも狭く、この狭い間隔の両側のピラー部のそれぞれに、前記線材を通してガイドするガイド部を設けている。
【００１１】
これにより、隣り合った２つのピラー部の間隔が、リールの最大直径よりも狭くされており、且つ、２つのガイド部のうち、線材の巻き方向に応じて、線材の繰り出し方向に近い方のガイド部に、線材を通して線材を円滑に繰り出すことができる。
【００１２】
また、本考案において好ましくは、支持フレームは、４つのピラー部を有し、４つのピラー部のうちの少なくとも一組の隣り合った２つのピラー部の間隔が、前記リールの最大直径よりも広く、且つ、残りの２つのピラー部の間隔が、前記リールの最大直径よりも狭い。
【００１３】
これにより、複数段のリールユニットを積み重ねたまま、下段のリールユニットのリールを、間隔の広い２つのピラー部の間から容易に出し入れすることができる。
【００１４】
また、本考案において好ましくは、前記ピラー部の各々は、上端及び下端の一方に、他のリールユニットの支持フレームの対応するピラー部の上端及び下端の他方を受け入れ可能な穴又は凹部を有する。
【００１５】
これにより、リールユニットを重ねる際には、例えば、下段側のリールユニットの各ピラー部の上端部を、上段側のリールユニットの対応する各ピラー部の下端の穴又は凹部に差し込んで嵌合させることによって、複数段のリールユニットを安定的に積み重ねることができる。また、下段側のリールユニットの各ピラー部の下端部を、上段側のリールユニットの対応する各ピラー部の上端の穴又は凹部に差し込んで嵌合させてもよい。
なお、ピラー部の穴又は凹部のない方の端部にテーパー部を設けてもよい。また、ピラー部の穴又は凹部を設けた方の端部の太さを、ピラー部の太さよりも太くすれば、テーバー部を形成しなくとも、積み重ねたリールユニットのピラー部どうしを容易に嵌合させることができる。
【図面の簡単な説明】
【００１６】
【図１】本考案の実施形態によるリールユニットの斜視図である。
【図２】（ａ）は、本考案の実施形態によるリールユニットの上面図であり、（ｂ）はその正面図である。
【図３】３段積み重ねたリールユニットの側面図である。
【図４】３段積み重ねたリールユニットの側面図であり、上から２段目のリールユニットのリールを支持フレームの軸部材から持ち上げた様子を示す。
【図５】３段積み重ねたリールユニットの側面図であり、上から２段目のリールユニットのリールを、横方向へ移動させた様子を示す。
【考案を実施するための形態】
【００１７】
以下、添付の図面を参照して、本考案の実施形態によるリールユニットを説明する。
まず、図１及び図２を参照して、実施形態のリールユニットを説明する。図１は、本考案の実施形態によるリールユニットの斜視図であり、巻かれた状態の電線をリールに装着した状態を示している。また、図２の（ａ）は、本考案の実施形態によるリールユニットの上面図であり、図２（ｂ）は、その平面図である。図２（ｂ）では、考案の理解を容易にするため、リールを上げて、支持フレームの軸部から外した状態を示す。
【００１８】
図１に示すように、リールユニットは、電線３０を巻き付けたリール１０を支持するためのリールユニットであって、巻かれた状態で別途購入した電線３０を保持するためのリール１０と、リール１０を水平面内で回転自在に支持する支持フレーム２０から構成されている。
【００１９】
図１及び図２に示すように、リール１０は、電線３０を載置するリールフレーム部１２と、リールフレーム部１２の中心に連結された回転軸１４とを有する。リール１０に装着された電線３０は、図１に示す押え部１６によって、上から固定される。
【００２０】
支持フレーム２０は、ベース部２４と、リール１０を支持する図２（ｂ）に示す軸部２８と、軸部２８に支持されたリール１０を取り囲むように配置された、ベース部２４から上方に延びる４つのピラー部２２とを有する。
【００２１】
４本のピラー部２２は、軸部２８に支持されたリール１０を取り囲むように配置された、ベース部２４から上方に延びる第１〜第４ピラー部２２ａ〜２２ｄから構成されている。図２（ｂ）に示すように、第１ピラー部２２ａと第２ピラー部２２ｂとの間隔ＷＦ１は、リール１０の最大直径ＷＲよりも広くなっている。これにより、リール１０を、第１ピラー部２２ａと第２ピラー部２２ｂとの間から出し入れすることができる。一方、残りの第３ピラー部２２ｃと第４ピラー部２２ｄとの間隔ＷＦ２は、リール１０の最大直径ＷＲよりも狭くなっている。
【００２２】
ベース部２４は、第１ピラー部２２ａと第２ピラー部２２ｂとを連結する第１下側ビーム部２４ａと、第３ピラー部２２ｃと第４ピラー部２２ｄとを連結する第２下側ビーム部２４ｂと、第１下側ビーム部２４ａと第２下側ビーム部２４ｂとを連結する中央ビーム部２４ｃとから構成されている。
【００２３】
なお、本実施形態では、支持フレーム２０は、第２ピラー部２２ｂと第３ピラー部２２ｃとを連結する第１上側ビーム部２６ａと、第４ピラー部２２ｄと第１ピラー部２２ａとを連結する第２上側ビーム部２６ｂとを有する。
【００２４】
軸部２８は、ベース部２４の中央ビーム部２４ｃから上方へ突出して設けられ、リール１０の回転軸である回転軸１４を上方から挿入して、リール１０の回転軸を回転自在に支持する。より具体的には、リール１０の回転軸１４の下端に開口した穴に、支持フレーム２０の軸部２９が挿入された状態で、リール１０が回転自在に支持される。
【００２５】
さらに、第３及び第４ピラー部２２ｃ及び２２ｄには、それぞれ、リール１０から繰り出される電線３０を通すガイド２９ａ及び２２ｂが設けられている。このように、第３及び第４ピラー部２２ｃ及び２２ｄにそれぞれガイド２９ａ及び２２ｂを設けたので、リール１０に装着した線材の巻き方向に応じて、２つのガイド部２９ａ及び２９ｂの何れか一方に、電線３０を通して線材を円滑に繰り出すことができる。その結果、電線３０がリール１０に右巻きで装着されている場合であっても、左巻きで装着されている場合であっても、線材の巻き方向に関係なく、線材を円滑に繰り出すことができる。また、第３ピラー部２２ｃと第４ピラー部２２ｄとの間隔ＷＦ２は、リール１０の最大直径ＷＲよりも狭くなっているので、電線３０の巻き方向によって、繰り出し方向に近いガイド２９ａまたは２２ｂに電線３０を通せば、電線３０を容易に繰り出すことができる。
【００２６】
なお、本実施形態では、第３及び第４ピラー部２２ｃ及び２２ｄにガイドを設けているが、さらに、第１及び第２ピラー部２２ａ及び２２ｂの一方又は双方にも追加のガイドを設けてもよい。このように、複数のガイドを設けることにより、電線の巻かれた向き及び電線を繰り出す方向に応じて、より好適なガイドを選択して使用することができる。
【００２７】
次に、図３〜図５を参照して、３段のリールユニットを積み重ねた実施形態を説明する。図３〜図５は、３段のリールユニットを積み重ねた側面図である。
【００２８】
支持フレーム２０の各ピラー部２２ａ〜２２ｄの上端には、テーパー部２３（図１及び図２）が設けられ、一方、各ピラー部２２ａ〜２２ｄの下端には、穴（図示せず）が開けられている。そして、図３に示すように、３段のリールユニットを重ねる際には、下段側のリールユニットの各ピラー部２２ａ〜２２ｄの上端のテーパー部２３を、上段側のリールユニットの対応する各ピラー部２２ａ〜２２ｄの下端の穴（又は凹部）に差し込んで嵌合させることによって、複数段のリールユニットを安定的に積み重ねることができる。
ここでは、ピラー部の下端の穴として、ピラー部のパイプの内部空洞に、テーバー部２３が挿入されている。
【００２９】
なお、本実施形態では、ピラー部の上端にテーパー部２３を設けているが、ピラー部の下端にテーパー部を設け、且つピラー部の上端に穴等を設けてもよい。また、ピラー部の上端又は下端の穴等の内径をピラー部の直径よりも太くしてもよい。これにより、ピラー部の端部にテーパー部を設けなくとも、ピラー部の一方を、他のリールユニットのピラー部の他端の穴等に挿入することができる。その結果、積み重ねたリールユニットのピラー部どうしを容易に嵌合させることができる。
【００３０】
さらに、図４及び図５を参照して、３段のリールユニットを積み重ねたまま、上から２段目のリールユニットのリール１０−２を交換する様子を説明する。
【００３１】
図４に示すように、まず、２段目のリールユニットのリール１０−２を、リール１０−２の中心ピラー１４から軸部２８が抜けるまで、上方へ持ち上げる。
なお、３段のリールユニットを積み重ねたときの上から１段目のリールユニットの第１下側ビーム２４ａの下辺と、上から２段目のリールユニットの第１下側ビーム２４ａの上辺との間の空間の高さＨＦは、２段目のリールユニットのリール１０−２の高さＷＲと、２段目のリールユニットに軸部２８の高さＨＡとの合計高さ（ＨＲ＋ＨＡ）よりも高くなっている。
【００３２】
続いて、図５に示すように、リール１０−２を、２段目のリールユニットの第１ピラー２２ａと第２ピラー２２ｂとの間から側方へ取り出す。このとき、図２（ｂ）に示したように、第１ピラー部２２ａと第２ピラー部２２ｂとの間隔ＷＦ１が、リール１０の最大直径ＷＲよりも広くなっている。これにより、リール１０を、第１ピラー部２２ａと第２ピラー部２２ｂとの間から出し入れすることができる。
【００３３】
このように、本実施形態のリールユニットによれば、３段のリールユニットを積み重ねた状態まま、下段のリールユニットのリールを交換することができる。これにより、下段のリールユニットのリールが空になった場合に、上に積み重ねたリールユニットをいちいち下ろさずとも、下段の空のリールを取外し、巻かれた状態の新たな電線をリールに補充して、リールを支持フレームに容易に再装着することができる。
【００３４】
上述した各実施形態においては、本考案を特定の条件で構成した例について説明したが、本考案は種々の変更及び組み合わせを行うことができ、これに限定されるものではない。例えば、上述した実施形態においては、リールに電線を巻き付けた例を説明したが、本考案ではリールに装着する線材は電線に限定されず、例えば、光ファイバーなど種々の線材を巻き付けることができる。また、ピラー部の数は、少なくとも３つ有していれば、４つでなくてもよく、更に、４つ以上であってもよい。また、例えば、上述した実施形態においては、３段のリールユニットを積み重ねた例を説明したが、本考案では、積み重ねる段数は、２段であってもよいし、４段以上であってもよい。
【符号の説明】
【００３５】
１０  リール
１２  リールフレーム部
１４  回転軸
１６  押え部
２０  支持フレーム
２２  ピラー部
２３  テーパー部
２４ａ、２４ｂ  下側ビーム部
２４ｃ  中央ビーム部
２６  上側ビーム部
２８  軸部
２９  電線ガイド
３０  電線
【図１】
0003187990.tif 000003
【図２】
0003187990.tif 000004
【図３】
0003187990.tif 000005
【図４】
0003187990.tif 000006
【図５】
0003187990.tif 000007